(57)【要約】【課題】  本発明は、水平および上下方向への角度調整を可能とする信号灯器取付金具を提供することを目的とするものである。【解決手段】  本発明の信号灯器取付金具１は、腕金Ａに装着される腕金取り付け部２と、腕金取り付け部２に一端側が連結され、他端側が信号灯器Ｂに取り付けられる信号灯器支持部３に連結される継手部４とから構成され、信号灯器を設置した後に、道路状況に応じて信号灯器の角度調整が容易に行える構成とするものである。【選択図】      図４
2006215683.tif 000002
【特許請求の範囲】
【請求項１】
信号柱より梁出される腕金の先端側に信号灯器を取り付けるための信号灯器取付金具において、
少なくとも一端側に直角状に折曲される接合板部が形成され、前記腕金を締結部材によって挟持する一対の挟持板から構成される腕金取り付け部と、
信号灯器の両側面に、その一端側が締結部材によって連結枢支されるとともに信号灯器の裏面側へ折曲形成される信号灯器取付板と、該信号灯器取付板の他端間に連結される回動調整支持部とから構成される信号灯器支持部と、
その一端側が前記腕金取り付け部の接合板部に連結される接合板部が折曲形成され、他端が前記信号灯器支持部の回動調整支持部に連結される一対の継手板部より構成される継手部を備える
ことを特徴とする信号灯器取付金具。
【請求項２】
前記腕金取り付け部の接合板部と継手部の接合板部にボルト挿通孔が開設され、該ボルト挿通孔にボルト・ナットによる締結部材を挿通して前記腕金取り付け部の接合板部と継手部の接合板部とを締結固定する
ことを特徴とする請求項１記載の信号灯器取付金具。
【請求項３】
前記腕金取り付け部の接合板部と継手部の接合板部に開設されるボルト挿通孔のいずれか一方を円弧形状の長孔とした
ことを特徴とする請求項２記載の信号灯器取付金具。
【請求項４】
前記ボルト挿通孔を４個、正方四角辺となる位置にそれぞれ設けられる
ことを特徴とする請求項２または３記載の信号灯器取付金具。
【請求項５】
前記信号灯器支持部の回動調整支持部と継手部とを回動自在な状態で連結固定する
ことを特徴とする請求項１、２、３または４記載の信号灯器取付金具。
【請求項６】
前記回動調整支持部と信号灯器取付板とを信号灯器の幅に応じて幅調整自在な状態で連結固定する
ことを特徴とする請求項１、２、３、４または５記載の信号灯器取付金具。
【発明の詳細な説明】
【技術分野】
【０００１】
本発明は、信号灯器取付金具に関する。詳しくは信号灯器の取付け角度を自在に可変することができる信号灯器取付金具に係るものである。
【背景技術】
【０００２】
従来より信号灯器は、図８に示すように、鋼管柱１０１に締付けた支持金具１０２に基部を取付けて腕金１０３を片持ち梁状にして前記鋼管柱１０１に突設し、該腕金１０３の先端側に信号灯器１０４を取付金具１０５によって取付けられている。
【０００３】
ここで、殆どの信号灯器１０４は前記腕金１０３の先端側にボルト・ナットなどの締結部材によって強固に固定されるために、信号灯器１０４の角度調整は腕金１０３を鋼管柱１０１に対して回動調整することによって行われているが非常に煩雑な作業となる問題があった。
【０００４】
そこでこのような問題を解消するために、例えば図９に示すような信号灯器取付金具１０６がある。この信号灯器取付金具１０６は、信号灯器１０４の両側端に取付けられる信号灯器取付金具１０６の一方が２本の連結杆１０７によってパンダグラフ式に折りたたみ自在な機構とすることによって信号灯器１０４を水平上に角度自在な構成とするものである（特許文献１参照。）。
【０００５】
【特許文献１】意匠登録第１２０３０５３号公報
【発明の開示】
【発明が解決しようとする課題】
【０００６】
しかしながら前記信号灯器取付金具１０６では水平方向への角度調整は現場においても行えるものであるが、例えば木の枝などが邪魔になって信号灯器１０４を左右いずれかに回動させたい場合にあっては左右回動調整を行うことができない問題がある。
更に、信号灯器を縦形態として取り付ける場合には、あらかじめ製作現場において縦形態として製作されており、現場において横形態から縦形態に変換することはできない。
【０００７】
また、２本の連結杆１０７を伸ばした状態で信号灯器１０４を取付けた場合には、常に連結杆１０７に大きな荷重がかかり、強風時や積雪時など自然環境に常時晒される信号灯器では充分な強度を維持ことが困難となる問題がある。
【０００８】
本発明は、以上の点に鑑みて創案されたものであって、水平および上下方向への角度調整および横・縦への変換を可能とする信号灯器取付金具を提供することを目的とするものである。
【課題を解決するための手段】
【０００９】
上記の目的を達成するために、本発明に係る信号灯器取付金具は、信号柱より梁出される腕金の先端側に信号灯器を取り付けるための信号灯器取付金具において、少なくとも一端側に直角状に折曲される接合板部が形成され、前記腕金を締結部材によって挟持する一対の挟持板から構成される腕金取り付け部と、信号灯器の両側面に、その一端側が締結部材によって連結枢支されるとともに信号灯器の裏面側へ折曲形成される信号灯器取付板と、該信号灯器取付板の他端間に連結される回動調整支持部とから構成される信号灯器支持部と、その一端側が前記腕金取り付け部の接合板部に連結される接合板部が折曲形成され、他端が前記信号灯器支持部の回動調整支持部に連結される一対の継手板部より構成される継手部を備える。
【００１０】
ここで、信号灯器は信号灯器支持部および継手部並びに腕金取り付け部をボルト・ナットによる締結部材よって回動自在な状態で腕金に取り付けられることにより、信号灯器を設置した後に、道路状況に応じて信号灯器の角度調整が容易に行えることになる。
【００１１】
また、前記腕金取り付け部の接合板部と継手部の接合板部に開設されるボルト挿通孔を４個、正方四角辺となる位置にそれぞれ設けることにより信号灯器を９０度ごとに回転させながら連結することが可能となり、信号灯器を横、縦形態のいずれにも取り付けることが可能となる。
【発明の効果】
【００１２】
本発明の信号灯器取付金具では、信号灯器の設置後における向き調整が容易に行えるとともに、信号灯器の横、縦形態への変換がいずれにも行うことができるために、従来のように設置環境によって信号灯器取付金具を取り替える必要性がなく、設置環境に応じて信号灯器の位置を自在に調整することが可能となる。
【発明を実施するための最良の形態】
【００１３】
以下、本発明の実施の形態を図面を参酌しながら説明し、本発明の理解に供する。
図１に、本発明を適用した信号灯器取付金具の一例を示す平面説明図。図２は、図１における正面説明図、図３は、図１における側面説明図、図４は、信号灯器取付金具の取り付け状態を示す斜視図である。
【００１４】
ここで示す信号灯器取付金具１は、腕金Ａに装着される腕金取り付け部２と、腕金取り付け部２に一端側が連結され、他端側が信号灯器Ｂに取り付けられる信号灯器支持部３に連結される継手部４とから構成されるものである。
【００１５】
ここで、腕金取り付け部２は、一対の挟持板５の略中央に腕金Ａの外周曲面と同じ内曲面を有する半円形状の腕金挟持部６が屈曲形成され、挟持板５の両側端は直角状に折曲形成される接合板部７がそれぞれ形成される。そして接合板部７にはボルト挿通孔８が並列上に２個開設される。また、挟持板５の腕金挟持部６の頂部にそれぞれボルト挿通孔８が開設されるものである。
【００１６】
継手部４は、一対の継手板部９の一端側に前記腕金取り付け部２の接合板部７と接合するための接合板部７Ａが直角状に折曲形成され、前記腕金取り付け部２の接合板部７に開設されるボルト挿通孔８と同じ位置に円弧形状の回動調整用長孔１０が開設される。そして前記継手板部９の他端側の中央位置にはボルト挿通孔８が開設され、このボルト挿通孔８を中心として円弧状の回動調整用長孔１０が左右に開設されるものである。
【００１７】
また、信号灯器支持部３は、前記継手部４の他端側に取付けられるダクト形状の回動調整支持部１１と、この回動調整支持部１１の両端に一端がボルト・ナットなどの締結部材１２によって取付けられ、他端側が直角状に折曲形成されて信号灯器Ｂの両側面に締結部材１２によって取付けられ、更にその手間には円弧状の回動調整用長孔１０が開設される信号灯器取付板１３より構成される。
【００１８】
そこで鋼管柱より水平方向に梁出される腕金Ａの先端側には鉛直方向にボルト挿通孔８が開設されている。そして腕金取り付け部２の一対の挟持板５の半円形状の腕金挟持部６によって腕金Ａの外周面を挟んだ状態で、それぞれの腕金挟持部６の頂部に開設されるボルト挿通孔８と腕金Ａに開設されるボルト挿通孔８とを合わせ、ボルト・ナットなどの締結部材１２を貫通させて締結固定し、更に一定間隔を設けた挟持板５に開設されるボルト挿通孔８に締結部材１２を貫通させて締結固定する。これにより腕金Ａに対して腕金取り付け部２が強固に取り付けることが可能となる。
【００１９】
次に、両側端は直角状に折曲形成される接合板部７がそれぞれ形成される。そして接合板部７にはボルト挿通孔８が並列状に２個開設される。この接合板部７のボルト挿通孔８に対して継手部４の一対の継手板部９の一端側に形成される接合板部７Ａの回動調整用長孔１０を合わせ締結部材１２によって連結固定する。
【００２０】
そして前記一対の継手板部９の他端側によって信号灯器支持部３の回動調整支持部１１を挟持させた状態で、ダクト状の回動調整支持部１１の上下面に貫通される３個のボルト挿通孔８と、継手板部９の他端側に開設されるボルト挿通孔８と回動調整用長孔１０とを合わせ締結部材１２によって連結固定するものである。
【００２１】
ここで、中央のボルト挿通孔８を中心として左右側に円弧形上の回動調整用長孔１０が設けられているために、回動調整用長孔１０内にて回動調整用長孔１０の円弧長さ分だけ回動調整支持部１１を左右側に回動することが可能となり、この場合には締結部材１２を緩めることで回動調整支持部１１を左右方向へ回動し、任意の位置において締結部材１２の締結を行うものとする。
【００２２】
また、前記回動調整支持部１１の両側端に貫通される２個のボルト挿通孔８と信号灯器取付板１３の一端側に開設される２個の幅調整用長孔１０Ａを合わせて締結部材１２によって締結固定するものである。
【００２３】
そして直角状に折曲形成される信号灯器取付板１３の他端に開設されるボルト挿通孔８と信号灯器Ｂの側面に設けられるネジ孔（図示せず。）を合わせて締結部材１２によって螺着する。また、前記ボルト挿通孔８の手間側には円弧形状の回動調整用長孔１０が開設され、この回動調整用長孔１０と前記信号灯器Ｂの側面に設けられるネジ孔の手前に設けられる同様のネジ孔を合わせて締結部材１２によって螺着することにより前記ボルト挿通孔８を中心として回動調整用長孔１０の円弧長さ分だけ信号灯器Ｂの前後方向への傾動調整が可能となるものである。
【００２４】
以上の構成よりなる本発明では、腕金取り付け部２の一対の挟持板５の接合板部７に形成される４個のボルト挿通孔８間による各辺が同じ長さの四辺形となるために、これらのボルト挿通孔８に対して、継手部４の一対の継手板部９の一端側に形成される接合板部７Ａ７に開設される円弧形状の回動調整用長孔１０を９０度ごとに回転させた場合でも常に各ボルト挿通孔８と回動調整用長孔１０が合致することになる。
【００２５】
従って図５に示すように、円弧形状の長孔１０の長さ分だけ継手部４を左右側に回動し、締結部材１２によって締結固定することにより、信号灯器Ｂを取り付けた後の角度微調整を行うことが可能となる。
【００２６】
また、図６に示すように信号灯器Ｂを縦形態として取り付ける場合には、前記腕金取り付け部２の一対の挟持板５の接合板部７に対して信号灯器Ｂが鉛直方向となるように前記継手板部９の接合板部７Ａの各ボルト挿通孔８および回動調整用長孔１０を合わせて締結部材１２によって締結固定するものである
【００２７】
次に、継手部４の一対の継手板部９の他端側によって信号灯器支持部３の回動調整支持部１１が３個の締結部材１２によって挟持させた状態で締結固定されるものであるが、中央の締結部材１２の両側の締結部材１２は円弧形状の回動調整用長孔１０を介して取り付けられているために、回動調整用長孔１０の長さ分だけ回動調整支持部１１を水平方向、あるいは鉛直方向へ回動することができ、これにより信号灯器Ｂを水平方向へ取付けた場合には水平方向への微調整、信号灯器Ｂを鉛直方向へ取付けた場合には鉛直方向への微調整が可能となる。
【００２８】
また、前記回動調整支持部１１の両端に締結部材１２によって取り付けられる信号灯器取付板１３は、幅調整用長孔１０Ａの長さ分だけ幅調整を行うことができ、幅長さが異なる信号灯器Ｂの横幅長さへの微調整が可能となる。
【００２９】
さらに、前記信号灯器取付板１３は信号灯器Ｂの側面に対して回動調整用長孔１０を介して取り付けられるために、回動調整用長孔１０の円弧長さ分だけ前後回動調整を行うことができ、信号灯器Ｂの前後傾動への微調整が可能となる。
【００３０】
なお、本実施例における腕金取り付け部２は、一対の挟持板５の略中央に腕金Ａの外周曲面と同じ内曲面を有する半円形状の腕金挟持部６が屈曲形成され、挟持板５の両側端は直角状に折曲形成される接合板部７がそれぞれ形成され、図７に示すようにこれらの接合板部７に、継手部４および信号灯器支持部３によって信号灯器Ｂがそれぞれ取り付けることができる構成とするものであるが、必ずしも挟持板５の両側端に直角状に接合板部７を形成する必要性がなく、片側のみにしか信号灯器Ｂを取り付ける必要がない場合には、一端側のみに接合板部を形成すればよい。
【図面の簡単な説明】
【００３１】
【図１】本発明を適用した信号灯器取付金具の一例を示す平面説明図である。
【図２】図１における正面説明図である。
【図３】図１における側面説明図である。
【図４】本発明を適用した信号灯器取付金具の一例を示す斜視図である。
【図５】本発明を適用した継手部の回動調整を示す作用説明図である。
【図６】本発明を適用した信号灯器取付金具により信号灯器を縦形態として取付けた状態を示す説明図である。
【図７】本発明を適用した信号灯器取付金具により信号灯器を２個取り付ける状態を示す説明図である。
【図８】信号灯器の取り付ける形態の一例を示す説明図である。
【図９】従来の信号灯器取付金具の一例を示す説明図である。
【符号の説明】
【００３２】
１      信号灯器取付金具
２      腕金取り付け部
３      信号灯器支持部
４      継手部
５      挟持板
６      腕金挟持部
７、７Ａ      接合板部
８      ボルト挿通孔
９      継手板部
１０    回動調整用長孔
１０Ａ  幅調整用長孔
１１    回動調整支持部
１２    締結部材
１３    信号灯器取付板
【図１】
2006215683.tif 000003
【図２】
2006215683.tif 000004
【図３】
2006215683.tif 000005
【図４】
2006215683.tif 000006
【図５】
2006215683.tif 000007
【図６】
2006215683.tif 000008
【図７】
2006215683.tif 000009
【図８】
2006215683.tif 000010
【図９】
2006215683.tif 000011